(57)【要約】【課題】各項目の関係性を示すために作成されるグラフに関し、各項目間に生成されたリンクの意味を明らかにする。【解決手段】本発明によるグラフ作成装置は、グラフ作成の対象となるデータを取得するデータ取得手段１と、取得したデータから、各項目が各共起範囲に含まれるか否かという情報を表現する分割表を作成する分割表作成手段２と、作成した分割表の項目をノードとし、分割表に基づいて各ノード間にリンクを生成し、項目グラフを作成する項目グラフ作成手段３と、作成した分割表の共起範囲をノードとし、分割表に基づいて各ノード間にリンクを生成し、共起範囲グラフを作成する共起範囲グラフ作成手段４と、作成した共起範囲グラフ、分割表、及び共起範囲グラフについてクラスタ解析を行って抽出したクラスタに基づいて、項目グラフ作成手段３が作成した項目グラフのリンクに情報を付与するリンク情報付与手段５と、を備える。【選択図】図１
2011248699.tif 000002
【特許請求の範囲】
【請求項１】
グラフ作成の対象となるデータを取得するデータ取得手段と、
前記データ取得手段が取得した前記データから、各項目が各共起範囲に含まれるか否かという情報を表現する分割表を作成する分割表作成手段と、
前記分割表作成手段が作成した前記分割表の項目をノードとし、前記分割表に基づいて前記各ノード間にリンクを生成し、項目グラフを作成する項目グラフ作成手段と、
前記分割表作成手段が作成した前記分割表の共起範囲をノードとし、前記分割表に基づいて前記各ノード間にリンクを生成し、共起範囲グラフを作成する共起範囲グラフ作成手段と、
前記共起範囲グラフ作成手段が作成した共起範囲グラフ、前記分割表作成手段が作成した前記分割表、および、前記共起範囲グラフについて、クラスタ解析を行って抽出したクラスタに基づいて、前記項目グラフ作成手段が作成した前記項目グラフのリンクに情報を付与するリンク情報付与手段と、
を具備することを特徴とするグラフ作成装置。
【請求項２】
ノードと成る複数の項目を含み、前記項目間に所望のリンクを生成することによってグラフとなるデータを取得するデータ取得手段と、
前記データ取得手段が取得した前記データに含まれる各項目が属する各共起範囲をノードとし、各共起範囲間の関連性を取得し、前記関連性に基づいて前記各ノード間にリンクを生成し、共起範囲グラフを取得する共起範囲グラフ取得手段と、
前記データ取得手段が取得した前記データから、各共起範囲に含まれる各項目をノードとし、前記データに基づいて前記各ノード間にリンクを生成し、項目グラフを作成する項目グラフ作成手段と、
前記共起範囲グラフ取得手段が取得した前記共起範囲グラフ、前記データ取得手段が取得した前記データ、および、前記共起範囲グラフについて、クラスタ解析を行って抽出したクラスタに基づいて、前記項目グラフ作成手段が作成した前記項目グラフのリンクに情報を付与するリンク情報付与手段と、
を具備することを特徴とするグラフ作成装置。
【請求項３】
前記リンク情報付与手段は、項目グラフの所定のリンクについて、当該リンクで結ぶ項目がどのデータで共起しているかを抽出し、抽出した共起範囲が属するクラスタに関する情報を、前記リンクの情報として付与する
ことを特徴とする請求項１又は２に記載のグラフ作成装置。
【請求項４】
前記リンク情報付与手段は、
項目グラフにおける所定のリンクに対応する共起範囲が複数有る場合に、
抽出したクラスタの中で、当該リンクに対応する共起範囲が最も多く属しているクラスタに関する情報を、当該リンクの情報として付与する
ことを特徴とする請求項１乃至３いずれか１項に記載のグラフ作成装置。
【請求項５】
前記リンク情報付与手段は、
項目グラフにおける所定のリンクに対して、
当該リンクに関係する共起範囲をクラスタ解析して定めたクラスタに属する共起範囲数を、他のクラスタに属する共起範囲数と共起範囲全体数に基づく比率で判定し、
有意と見做すと判定した場合に『意味を持つ結びつきである』という情報を付与し、
有意と見做せないと判定した場合に『全体に共通する一般的な結びつきである』という情報を付与する
ことを特徴とする請求項１乃至４いずれか１項に記載のグラフ作成装置。
【請求項６】
ユーザからの入力、および、リンク情報付与手段によってリンクに付与された情報に基づいて、表示形態を制御して前記項目グラフ、および、前記共起範囲グラフのいずれか一方、もしくは、両方を、各リンクに付与した情報と共に表示するグラフ表示制御手段を備える
ことを特徴とする請求項１乃至５いずれか１項に記載のグラフ作成装置。
【請求項７】
グラフ作成の対象となるデータを取得し、
取得した前記データから、各項目が各共起範囲に含まれるか否かという情報を表現する分割表を作成処理し、
作成した前記分割表の項目をノードとし、前記分割表に基づいて前記各ノード間にリンクを生成し、項目グラフを作成し、
作成した前記分割表の共起範囲をノードとし、前記分割表に基づいて前記各ノード間にリンクを生成し、共起範囲グラフを作成し、
作成した共起範囲グラフ、前記分割表、および、前記共起範囲グラフについて、クラスタ解析を行って抽出したクラスタに基づいて、作成した前記項目グラフのリンクに情報を付与する処理を行う
ことを特徴とするグラフ作成方法。
【請求項８】
ノードと成る複数の項目を含み、前記項目間に所望のリンクを生成することによってグラフとなるデータを取得し、
取得した前記データに含まれる各項目が属する各共起範囲をノードとし、各共起範囲間の関連性を取得し、前記関連性に基づいて前記各ノード間にリンクを生成し、共起範囲グラフを取得し、
取得した前記データから、各共起範囲に含まれる各項目をノードとし、前記データに基づいて前記各ノード間にリンクを生成し、項目グラフを作成し、
取得した前記共起範囲グラフ、前記データ、および、前記共起範囲グラフについて、クラスタ解析を行って抽出したクラスタに基づいて、作成した前記項目グラフのリンクに情報を付与する処理を行う、
ことを特徴とするグラフ作成方法。
【請求項９】
情報処理装置の制御部を、
グラフ作成の対象となるデータを取得するデータ取得手段と、
前記データ取得手段が取得した前記データから、各項目が各共起範囲に含まれるか否かという情報を表現する分割表を作成する分割表作成手段と、
前記分割表作成手段が作成した前記分割表の項目をノードとし、前記分割表に基づいて前記各ノード間にリンクを生成し、項目グラフを作成する項目グラフ作成手段と、
前記分割表作成手段が作成した前記分割表の共起範囲をノードとし、前記分割表に基づいて前記各ノード間にリンクを生成し、共起範囲グラフを作成する共起範囲グラフ作成手段と、
前記共起範囲グラフ作成手段が作成した共起範囲グラフ、前記分割表作成手段が作成した前記分割表、および、前記共起範囲グラフについて、クラスタ解析を行って抽出したクラスタに基づいて、前記項目グラフ作成手段が作成した前記項目グラフのリンクに情報を付与するリンク情報付与手段、
として機能させることを特徴とするグラフ作成プログラム。
【請求項１０】
情報処理装置の制御部を、
ノードと成る複数の項目を含み、前記項目間に所望のリンクを生成することによってグラフとなるデータを取得するデータ取得手段と、
前記データ取得手段が取得した前記データに含まれる各項目が属する各共起範囲をノードとし、各共起範囲間の関連性を取得し、前記関連性に基づいて前記各ノード間にリンクを生成し、共起範囲グラフを取得する共起範囲グラフ取得手段と、
前記データ取得手段が取得した前記データから、各共起範囲に含まれる各項目をノードとし、前記データに基づいて前記各ノード間にリンクを生成し、項目グラフを作成する項目グラフ作成手段と、
前記共起範囲グラフ取得手段が取得した前記共起範囲グラフ、前記データ取得手段が取得した前記データ、および、前記共起範囲グラフについて、クラスタ解析を行って抽出したクラスタに基づいて、前記項目グラフ作成手段が作成した前記項目グラフのリンクに情報を付与するリンク情報付与手段、
として機能させることを特徴とするグラフ作成プログラム。
【発明の詳細な説明】
【技術分野】
【０００１】
本発明は、グラフ理論に従って、各項目の関係性を示すためのグラフを作成する技術に関し、特に、各項目間に生成されたリンクの意味を明らかにする、グラフ作成装置、グラフ作成方法およびグラフ作成プログラムに関わる。
【背景技術】
【０００２】
人物や語句といった項目の関係性を理解するための手段として、人物や語句などの項目をノードとし、ある項目と別の項目がウェブページや文章などにおいて同時に出現しているか、すなわち、共起しているかなどの情報に基づいて、各ノード間にリンクを生成したグラフを作成することが行われている。
【０００３】
例えば、特許文献１に記載された方法では、ある２つの語が同一の文単位（解析対象）にて共起した場合にその２つの語（ノード）にリンクを貼ることによってグラフを作成する。
【０００４】
しかし、上記のように生成されたグラフにおいて、人物や語句といった項目同士が結ばれているリンクが、すべて同一の関係を示唆しているとは限らない。このため、グラフ内のそれぞれのリンクがどのような関係性を示唆しているかを推定することが行われている。
【０００５】
例えば、特許文献２に記載された方法では、ハイパーメディア形式の複数のドキュメント（解析対象）がハイパーリンクで結ばれているときに、ドキュメントの種別を考慮してドキュメントから抽出する用語（ノード）を選び出し、抽出されたノード（用語）同士のリンクは、ドキュメント同士のハイパーリンクとドキュメントの種別を考慮して、その関係が階層関係、連想関係などのいずれであるかを推定する。
【０００６】
また、非特許文献１に記載された方法では、同一のウェブページに出現した２人の人物（ノード）の間にリンクを生成し、そのウェブページが、事前に準備された特定の語を含んでいるか否かによって、リンクにラベル付けを行う。
【先行技術文献】
【特許文献】
【０００７】
【特許文献１】特開２００９−１２８９４９号公報
【特許文献２】特開２００８−１９２１７０号公報
【非特許文献】
【０００８】
【非特許文献１】松尾  豊  他  著、「Ｗｅｂ上の情報からの人間関係ネットワークの抽出」、人工知能学会論文誌２０巻１号Ｅ、ｐｐ４６−５６、２００５年
【発明の概要】
【発明が解決しようとする課題】
【０００９】
しかしながら、特許文献２および非特許文献１に記載された方法では、リンクが示唆する関係性を推定するためのドキュメントの種別、もしくは、特定の語を事前に準備しなければならず、そのためのコストがかかる、という課題を指摘できる。
【００１０】
そこで、本発明は、上述した課題を解決するため、人物や語句といった項目の関係性を理解するため作成されるグラフに対して、各項目間に生成されたリンクの意味を適切に推定することができるグラフ作成装置、グラフ作成方法およびグラフ作成プログラムを提供することを目的とする。
【課題を解決するための手段】
【００１１】
本発明に係るグラフ作成装置は、グラフ作成の対象となるデータを取得するデータ取得手段と、前記データ取得手段が取得した前記データから、各項目が各共起範囲に含まれるか否かという情報を表現する分割表を作成する分割表作成手段と、前記分割表作成手段が作成した前記分割表の項目をノードとし、前記分割表に基づいて前記各ノード間にリンクを生成し、項目グラフを作成する項目グラフ作成手段と、前記分割表作成手段が作成した前記分割表の共起範囲をノードとし、前記分割表に基づいて前記各ノード間にリンクを生成し、共起範囲グラフを作成する共起範囲グラフ作成手段と、前記共起範囲グラフ作成手段が作成した共起範囲グラフ、前記分割表作成手段が作成した前記分割表、および、前記共起範囲グラフについて、クラスタ解析を行って抽出したクラスタに基づいて、前記項目グラフ作成手段が作成した前記項目グラフのリンクに情報を付与するリンク情報付与手段とを具備することを特徴とする。
【００１２】
また、本発明によるグラフ作成装置は、ノードと成る複数の項目を含み、前記項目間に所望のリンクを生成することによってグラフとなるデータを取得するデータ取得手段と、前記データ取得手段が取得した前記データに含まれる各項目間が有する各共起範囲をノードとし、各共起範囲間の関連性を取得し、前記関連性に基づいて前記各ノード間にリンクを生成し、共起範囲グラフを取得する共起範囲グラフ取得手段と、前記データ取得手段が取得した前記データから、各共起範囲に含まれる各項目をノードとし、前記データに基づいて前記各ノード間にリンクを生成し、項目グラフを作成する項目グラフ作成手段と、前記共起範囲グラフ取得手段が取得した前記共起範囲グラフ、前記データ取得手段が取得した前記データ、および、前記共起範囲グラフについて、クラスタ解析を行って抽出したクラスタに基づいて、前記項目グラフ作成手段が作成した前記項目グラフのリンクに情報を付与するリンク情報付与手段とを具備することを特徴とする。
【発明の効果】
【００１３】
本発明によれば、グラフに対して、共起範囲のグラフの解析結果を用いることで、項目のグラフだけでは分からなかったリンクの情報を推定するグラフ作成装置、グラフ作成方法およびグラフ作成プログラムを提供できる。
【図面の簡単な説明】
【００１４】
【図１】本発明によるグラフ作成装置の機能構成例を示すブロック図である。
【図２】本発明の実施形態に係る処理経過の例を示すフローチャートである。
【図３】取得したデータの一例を示す説明図である。
【図４】データに基づいて作成した分割表の一例を示す説明図である。
【図５】分割表に基づいて作成した項目グラフの一例を示す説明図である。
【図６】分割表に基づいて作成した共起範囲グラフの一例を示す説明図である。
【図７】共起範囲グラフについて、クラスタ解析を行った結果の一例を示す説明図である。
【図８】クラスタ解析の結果を用いて各リンクに情報を付与した項目グラフの一例を示す説明図である。
【図９】本発明によるグラフ作成装置の第２の実施形態の機能構成例を示すブロック図である。
【図１０】本発明の第２の実施形態に係る処理経過の例を示すフローチャートである。
【図１１】本発明によるグラフ作成装置の第３の実施形態の機能構成例を示すブロック図である。
【図１２】本発明の第３の実施形態に係る処理経過の例を示すフローチャートである。
【発明を実施するための形態】
【００１５】
以下、本発明の実施形態について図面を参照して説明する。
【００１６】
［第１の実施形態］  
図１は、本発明によるグラフ作成装置の機能構成例を示すブロック図である。図１に示すように、本発明によるグラフ作成装置は、データ取得手段１と、分割表作成手段２と、項目グラフ作成手段３と、共起範囲グラフ作成手段４と、リンク情報付与手段５とを含む。グラフ作成装置は、具体的には、パーソナルコンピュータ等のプログラムに従って動作する情報処理装置によって実現される。なお、共起範囲とは、同一または関連する項目が出現する所定のデータ構造を有する範囲を指す。例えば、上記の背景技術では、文章やウェブページが共起範囲に相当する。
【００１７】
データ取得手段１は、例えば、コンピュータ等が備えているＨＤＤ（HARD DISK DRIVE）等の記録媒体から、又は、インターネット等の通信網を介してアクセスしたウェブサーバ等から、グラフ作成の解析対象となるデータを入力又は受信する機能を備えている。なお、データ取得手段１は、データを、例えば、ユーザの操作に従って、キーボード等の入力装置を介して入力されたファイルや文章などから取得してもよい。
【００１８】
なお、解析対象となるデータとして、例えば、コンピュータなどの記憶媒体内に記憶されている文書データや画像データ・数値データ・各種ファイルなど、又は、インターネットなどの通信網を介して構成されるウェブページなどが挙げられるが、これらに限定されるものではない。
【００１９】
また、実施の形態の説明では、各種手段がグラフ等のデータを生成するが、これら生成されたデータは、適宜ＲＡＭ（RANDOM ACCESS MEMORY）やＨＤＤ等の記憶媒体に記録され、読み出し可能に保持されることは自明であろう。
【００２０】
分割表作成手段２は、具体的には、ＲＯＭ（READ ONLY MEMORY）等の記憶部から読み込まれてＲＡＭに展開されたグラフ作成プログラム（以下プログラムと記載）に従って動作する情報処理装置の制御部であるＣＰＵ（CENTRAL PROCESSING UNIT）によって実現される。分割表作成手段２は、データ取得手段１が取得したデータに基づいて、各項目が各共起範囲に含まれるか否かという情報を表現する分割表を作成する機能を備えている。
【００２１】
分割表とは、２つの変数について、それらの変数が取りうる値（例えばカテゴリカル変数であれば各カテゴリ）の各組み合わせの関係について記録した表である。ここでは、人物や語句などの項目を列とし、ウェブページや文章などの共起範囲を行とした行列において、第i行第j列の成分として第i行の共起範囲に第j列の項目が含まれていれば１もしくは有限の値、そうでなければ０という値を付与することによって、各項目が各共起範囲に含まれるか否かという情報を表現する分割表を作成する。分割表において、行と列の役割は入れ替えても表現できる情報に変わりはなく、もし、列を共起範囲、行を項目とするならば、以降において、行と列を読み替えれば、問題なく実施が可能であることは自明であろう。
【００２２】
なお、上記では、項目として人物や語句など、共起範囲としてウェブページや文章などを挙げたが、なにを項目として、なにを共起範囲とするかに制限はない。例えば、上記の項目と共起範囲の役割を逆に考えることができる。すなわち、ウェブページや文章などを項目として、人物や語句などを共起範囲としてもよい。
【００２３】
項目グラフ作成手段３は、具体的には、プログラムに従って動作する情報処理装置のＣＰＵによって実現される。項目グラフ作成手段３は、分割表作成手段２が作成した分割表の項目をノードとし、分割表に表されたノード間の関係に基づいて各ノード間にリンクを生成し、項目グラフを作成する機能を備えている。
【００２４】
共起範囲グラフ作成手段４は、具体的には、プログラムに従って動作する情報処理装置のＣＰＵによって実現される。共起範囲グラフ作成手段４は、分割表作成手段２が作成した分割表の共起範囲をノードとし、分割表に表されたノード間の関係に基づいて各ノード間にリンクを生成し、共起範囲グラフを作成する機能を備えている。
【００２５】
リンク情報付与手段５は、具体的には、プログラムに従って動作する情報処理装置のＣＰＵによって実現される。リンク情報付与手段５は、共起範囲グラフ作成手段４が作成した共起範囲グラフ、分割表作成手段２が作成した分割表、および、共起範囲グラフについて、クラスタ解析を行って抽出したクラスタに基づいて、項目グラフ作成手段３が作成した項目グラフのリンクに情報を付与する機能を備えている。ここで、クラスタ解析とは、何らかの指標をもってデータと他のデータとの類似している度合いが定義される場合に、類似している度合いが高いデータを同一のクラスタへ配分する手法である。
【００２６】
尚、上記各種手段のほかに、必要に応じて、作成したグラフを記憶保持する記憶手段や、作成したグラフを画面上に表示する表示手段を有することはいうまでもない。
【００２７】
次にグラフ作成装置の動作について説明する。図２は、グラフ作成装置の処理例を示すフローチャートである。
【００２８】
例えば、ユーザが、グラフ作成装置にデータを入力する操作を行なうと、データ取得手段１は、ユーザの入力操作に従って、データを取得する（ステップＳ１１）。また、データ取得手段１は、例えば、所定時間ごとに、ウェブページ等からデータを自動的に収集するようにしてもよい。  
図３は、データ取得手段１が取得したデータの一例を示す説明図である。図３に示す例では、ｘ１〜ｘ８は共起範囲であり、ａ１〜ａ７は各共起範囲に含まれる項目である。共起範囲は例えば文であり、項目は例えば各文に含まれる語句である。他の例としては、アンケートなどにおいて、一人の回答者の自由記述回答（通常、複数の文を含む）を１つの共起範囲、すなわち、ｘ１などとして、各回答者の自由記述回答に含まれる語句を項目、すなわち、ａ１などとすることが考えられる。また、ウェブページを共起範囲とし、各ウェブページに出現する人名を項目とすることも考えられる。
【００２９】
次に、分割表作成手段２は、データ取得手段１が取得したデータに基づいて、各項目が各共起範囲に含まれるか否かという情報を表現する分割表を作成する（ステップＳ２１）。
【００３０】
図３に示すデータに基づいて、分割表作成手段２が作成した分割表の一例を図４に示す。図４に示す例では、ａ１〜ａ７の項目を列とし、ｘ１〜ｘ８の共起範囲を行とした行列において、第i行第j列の成分として第i行の共起範囲に第j列の項目が含まれていれば『１』、そうでなければ『０』という値を付与することによって、各項目が各共起範囲に含まれるか否かという情報を表現している。  
なお、図３に示したデータでは、各共起範囲では項目が重複していないが、一般には、重複している場合が考えられる。その場合において作成される分割表は、第i行第j列の成分として第i行の共起範囲に第j列の項目が含まれている個数を与えてもよいし、複数個含まれている場合でも１の値を与えてもよい。
【００３１】
次に、項目グラフ作成手段３は、分割表作成手段２が作成した分割表の項目をノードとし、分割表に基づいて各ノード間にリンクを生成し、項目グラフを作成する（ステップＳ３１）。  
分割表から項目グラフを作成する方法として、例えば、単純に同一の行で共起している項目にリンクを生成する、ということが考えられる。図４に示す分割表でこの方法を適用すると、例えば、ｘ１の行において、項目ａ１、ａ２、ａ３、ａ５が共起しているので、これらの間にリンクが生成されることになる。図４に示す分割表に基づいて、上記の方法に基づいてリンクを生成して作成した項目グラフの一例を図５に示す。
【００３２】
また、項目の各組について、それぞれＪａｃｃａｒｄ係数、Ｄｉｃｅ係数、Ｏｖｅｒｌａｐ係数、コサイン類似度、相互情報量などの値を計算し、その値が大きい項目の組から順に、事前に定められた数だけリンクを生成する方法によって項目グラフを作成することも考えられる。または、計算された値が、事前に定められたある閾値以上であれば、その項目の組にリンクを生成する方法も考えられる。なお、項目グラフの作成方法は、これらの方法に限定されるものではなく、他の方法でもよい。
【００３３】
次に、共起範囲グラフ作成手段４は、分割表作成手段２が作成した分割表の共起範囲をノードとし、分割表に基づいて各ノード間にリンクを生成し、共起範囲グラフを作成する（ステップＳ４１）。  
分割表から共起範囲グラフを作成する方法は、ステップＳ３１で述べた分割表から項目グラフを作成する方法とまったく同様であることは自明であろう。なお、項目グラフを作成する方法と、共起範囲グラフを作成する方法は同一でなくてよい。図４に示す分割表に基づいて、同一の列で共起している共起範囲についてリンクを生成して作成した共起範囲グラフの一例を図６に示す。
【００３４】
次に、リンク情報付与手段５は、作成した共起範囲グラフについて、クラスタ解析を行ってクラスタを抽出すると共に、抽出したクラスタ、共起範囲グラフ作成手段４が作成した共起範囲グラフ、および、分割表作成手段２が作成した分割表の中から所要の情報を用いて、項目グラフ作成手段３が作成した項目グラフのリンクに、当該リンクの有する意味として推定された情報を付与する（ステップＳ５１〜Ｓ５３）。以下に詳説する。
【００３５】
リンク情報付与手段５は、共起範囲グラフについてクラスタ解析を行う（ステップＳ５１）。  
図６に示す共起範囲グラフについて、クラスタ解析を行った結果を図７に示す。図６に示す例では、ｃ１、ｃ２は、クラスタ解析を行った結果得られたクラスタを示している。例えば、ｃ１には共起範囲ｘ１、ｘ２、ｘ３、ｘ４が属していることを示している。このように各共起範囲はいずれかのクラスタに属している。
【００３６】
続いて、リンク情報付与手段５は、項目グラフの各リンクについて、各リンクが結ぶ項目が分割表ではどの共起範囲で共起しているかを明らかにし、各リンクに対応させる（ステップＳ５２）。例えば、図５に示す項目グラフにおけるａ２とａ４を結ぶリンクについて、図４に示す分割表を見ると、共起範囲ｘ２、ｘ４で共起しているので、これらの共起範囲をａ２とａ４を結ぶリンクに対応させる。
【００３７】
続いて、リンク情報付与手段５は、ステップＳ５２で項目の各リンクに対応させた各共起範囲について、ステップＳ５１における共起範囲グラフのクラスタ解析の結果に基づいて、項目グラフの各リンクに情報を付与する（ステップＳ５３）。  
一般には、項目グラフにおける各々のリンクに対応する共起範囲は複数あり得る。対応する各共起範囲は、クラスタ解析によって得られたいずれかのクラスタにそれぞれ属している。各クラスタについて、属している共起範囲の数を数え上げ、最も数の多いクラスタがそのリンクで特徴的といえる。すなわち、各リンクが結ぶ両項目は、そのクラスタで特徴的に共起していると見做せる。クラスタが、共起範囲全体の中の類似したものの集合という一部分、すなわち、特定の文脈を表しているということに鑑み、そのようなリンクには、そのクラスタで表現される特定の文脈で意味を持つ結びつきであると推定する。よって、各リンクは、そのクラスタで特徴付けれる。属している共起範囲の数が最大のクラスタが複数ある場合には、その複数のクラスタで、リンクは特徴付ける。  
そこで、リンク情報付与手段５は、対象とする項目グラフの各リンクに、そのリンクが属する共起範囲が属するクラスタに関する情報をリンクの特徴を示す情報として関連付ける。また、クラスタに関する情報と共に、共起範囲の情報を合わせてリンクに関連付けてもよい。
【００３８】
図８は、図７に示すクラスタに基づいて、前記の方法により、図５に示す項目グラフについて各リンクにクラスタの情報を付与した例を示す。図８の例では、例えば、ノードａ２とノードａ４とを結ぶリンクは、共起範囲がｘ２とｘ４であり、クラスタはｃ１となり、クラスタｃ１で特徴付けられる。また別の例では、ノードａ３とノードａ５とを結ぶリンクは、共起範囲がｘ１とｘ５であり、それぞれの共起範囲が属するクラスタの有する共起範囲の数は共に『４』であるので、クラスタｃ１とｃ２で特徴付けられる。  
また、共起範囲全体についての各クラスタに属している共起範囲の数を用いて付与する情報に補正をかけてもよい。具体例は、次のような処理が考えられる。  
共起範囲全体について、各クラスタに属している共起範囲の数と比較して、リンクに対応する共起範囲について、各クラスタに属している共起範囲の数が、あるクラスタが有意に多ければ、そのリンクには、特定の文脈で『意味を持つ結びつきである』という情報を付与する。他方で、有意に多いクラスタが存在しない、すなわち、対応する共起範囲が、複数のクラスタに満遍なく（共起範囲全体と同程度の比率で）属するならば、そのリンクが結ぶ項目は、共起範囲全体で共起しているといえる。つまり、そのようなリンクは、特定の文脈に依存しない、全体に共通する一般的な結びつきであると推察できるために、そのリンクには、『全体に共通する一般的な結びつきである』という情報を付与する。  
別の表現で説明すれば、リンク情報付与手段５は、情報の付与対象とした特定のリンクに対して、そのリンクの有する共起範囲が属するクラスタの範囲内の共起範囲の数と共起範囲全体の数とを比較して数値化し、他のクラスタを同様に数値化した値と対比し、比較値や所定閾値を用いて所定値を超えた判定した場合に『意味を持つ結びつきである』という情報を付与する。他方、リンク情報付与手段５は、上記方法で有意に多いクラスタが存在しないと判定した場合は、前記リンクに対して、『全体に共通する一般的な結びつきである』という情報を付与する。
【００３９】
次に、本実施形態の効果について説明する。  
以上に説明したように、本実施形態では、リンク情報付与手段５は、共起範囲グラフ作成手段４が作成した共起範囲グラフ、分割表作成手段２が作成した分割表、および、前記共起範囲グラフについて、クラスタ解析を行って抽出したクラスタに基づいて、項目グラフ作成手段３が作成した前記項目グラフのリンクに共起範囲の解析に基づく情報を付与する。  
従って、本実施形態によれば、共起範囲のグラフのクラスタの情報を用いることで、項目のグラフのリンクが、どのような文脈で意味を持つ結びつきなのか、あるいは、文脈に依存しない一般的な結びつきなのかといったような情報を得ることができる。
【００４０】
［第２の実施形態］  
図９は、本発明によるグラフ作成装置の第２の実施形態の機能構成例を示すブロック図である。図９に示すように、第２の実施形態では、データ取得手段１と、項目グラフ作成手段３’と、共起範囲グラフ取得手段４’と、リンク情報付与手段５’とを含む。グラフ作成装置は、具体的には、パーソナルコンピュータ等のプログラムに従って動作する情報処理装置によって実現される。
【００４１】
第１の実施形態との差異について説明する。  
項目グラフ作成手段３’は、具体的には、プログラムに従って動作する情報処理装置のＣＰＵによって実現される。項目グラフ作成手段３’は、データ取得手段１が取得したデータから、各共起範囲に含まれる各項目をノードとし、データ取得手段１が取得したデータに基づいて各ノード間にリンクを生成し、項目グラフを作成する機能を備えている。
【００４２】
共起範囲グラフ取得手段４’は、具体的には、プログラムに従って動作する情報処理装置のＣＰＵによって実現される。共起範囲グラフ取得手段４’は、データ取得手段１が取得したデータに含まれる各共起範囲をノードとし、各共起範囲間の関連性を取得し、取得した関連性に基づいて各ノード間にリンクを生成し、共起範囲グラフを取得する機能を備えている。
【００４３】
ここで、各共起範囲間の関連性とは、例えば、ウェブページ間のハイパーリンクや論文の引用関係など、明示的にある共起範囲から別の共起範囲への言及があるものが挙げられるが、これら例示に限定されるものではない。
【００４４】
リンク情報付与手段５’は、具体的には、プログラムに従って動作する情報処理装置のＣＰＵによって実現される。リンク情報付与手段５’は、共起範囲グラフ取得手段４’が取得した共起範囲グラフ、データ取得手段１が取得したデータ、および、前記共起範囲グラフについて、クラスタ解析を行って抽出したクラスタに基づいて、項目グラフ作成手段３’が作成した項目グラフのリンクに情報を付与する機能を備えている。
【００４５】
次に、本実施形態におけるグラフ作成装置の動作について説明する。図１０は、グラフ作成装置の処理例を示すフローチャートである。図２で説明した第１の実施形態にかかる処理経過と同じ処理については同じステップ番号を付し、説明は省略する。
【００４６】
項目グラフ作成手段３’は、データ取得手段１が取得したデータから、各共起範囲に含まれる各項目をノードとし、取得したデータに基づいて各ノード間にリンクを生成し、項目グラフを作成する（ステップＳ３１’）。  
データから項目グラフを作成する方法として、例えば、単純に同一の共起範囲で共起している項目にリンクを生成する、ということが考えられる。図３に示すデータでこの方法を適用すると、例えば、ｘ１の共起範囲において、項目ａ１、ａ２、ａ３、ａ５が共起しているので、これらの間にリンクが生成されることになる。また、項目の各組について、それぞれＪａｃｃａｒｄ係数などの値を計算し、その値を利用して項目の組にリンクを生成する方法も第１の実施形態と同様に実施可能であることは自明であろう。
【００４７】
共起範囲グラフ取得手段４’は、データ取得手段１が取得したデータに含まれる各共起範囲をノードとし、各共起範囲間の関連性を取得し、取得した関連性に基づいて前記各ノード間にリンクを生成し、共起範囲グラフを取得する（ステップＳ４１’）。  
例えば、共起範囲をウェブページとしたとき、ウェブページ間のハイパーリンクを関連性として取得し、ハイパーリンクをそのままグラフにおけるリンクとみなせば、ウェブページをノードとした共起範囲グラフを取得することができる。
【００４８】
リンク情報付与手段５’は、共起範囲グラフ取得手段４’が取得した共起範囲グラフ、データ取得手段１が取得したデータ、および、前記共起範囲グラフについて、クラスタ解析を行って抽出したクラスタに基づいて、項目グラフ作成手段３’が作成した項目グラフのリンクに情報を付与する（ステップＳ５１、Ｓ５２’、Ｓ５３）。  
リンク情報付与手段５’は、ステップＳ５１にて共起範囲グラフについてクラスタ解析を行った後、項目グラフの各リンクについて、各リンクが結ぶ項目がどのデータで共起しているかを明らかにし、各リンクに対応させる（ステップＳ５２’）。例えば、図５に示す項目グラフにおけるａ１とａ２を結ぶリンクについて、図３に示すデータを見ると、共起範囲ｘ１で共起しているので、この共起範囲をａ１とａ２を結ぶリンクに対応させる。その後、抽出したクラスタを用いて第１の実施形態と同様の処理が行われる。
【００４９】
次に、第２の実施形態の効果について説明する。
【００５０】
第２の実施形態においては、共起範囲グラフ取得手段４’は、データ取得手段１が取得したデータに含まれる各共起範囲をノードとし、各共起範囲間の関連性を取得し、関連性に基づいて各ノード間にリンクを生成し、共起範囲グラフを取得する。
【００５１】
従って、第１の実施形態とは異なり、共起範囲グラフにおけるリンクは、例えば、ウェブページ間のハイパーリンクや論文の引用関係など、明示的にある共起範囲から別の共起範囲への言及がある各共起範囲間の関連性に基づいている。通常、ハイパーリンクや引用関係などは、２つの共起範囲間に関係があることを担保する。よって、これらの共起範囲の関連性を利用することによって、項目グラフのリンクへの情報の付与の精度が高まることが期待される。
【００５２】
［第３の実施形態］  
図１１は、本発明によるグラフ作成装置の第３の実施形態の機能構成例を示すブロック図である。図１１に示すように、第３の実施形態では、データ取得手段１と、分割表作成手段２と、項目グラフ作成手段３と、共起範囲グラフ作成手段４と、リンク情報付与手段５と、グラフ表示制御手段６を含む。グラフ作成装置は、具体的には、パーソナルコンピュータ等のプログラムに従って動作する情報処理装置によって実現される。
【００５３】
第１の実施形態との差異について説明する。
【００５４】
グラフ表示制御手段６は、具体的には、プログラムに従って動作する情報処理装置のＣＰＵによって実現される。グラフ表示制御手段６は、ユーザからの入力、および、リンク情報付与手段５によってリンクに付与された情報に基づいて、表示形態を制御して項目グラフ、および、共起範囲グラフのいずれか一方、もしくは、両方を表示する機能を備えている。  
具体的には、グラフ表示制御手段６は、ユーザからの入力、および、リンク情報付与手段５によってリンクに付与された情報に基づいて、表示形態を制御して項目グラフ、および、共起範囲グラフのいずれか一方、もしくは、両方を表示する表示データを生成する。そして、グラフ表示制御手段６は、生成した表示データを表示部に表示させるように制御する。
【００５５】
以下、本実施形態では、グラフ表示制御手段６が項目グラフ等を表示するという表現を用いるが、実際には、上記のように、グラフ表示制御手段６が、表示データを生成し、生成した表示データを表示部に表示させるように制御しているものとする。
【００５６】
また、ユーザからの入力は、例えば、ユーザの操作に従って、キーボードやマウス等の入力装置を介して入力されたものから取得する。
【００５７】
次に、本実施形態におけるグラフ作成装置の動作について説明する。図１２は、グラフ作成装置の処理例を示すフローチャートである。図２で説明した第１の実施形態にかかる処理経過と同じ処理については同じステップ番号を付し、説明は省略する。
【００５８】
グラフ表示制御手段６は、ユーザからの入力、および、リンク情報付与手段５によってリンクに付与された情報に基づいて、表示形態を制御して項目グラフ、および、共起範囲グラフのいずれか一方、もしくは、両方を表示する（ステップＳ６１）。
【００５９】
グラフ表示制御手段６は、初期表示として、例えば、項目グラフ、および、共起範囲グラフの両方を表示する。ユーザがどちらか一方のグラフだけの表示の指示を入力したならば、それに従い一方のグラフだけを表示する。グラフ構造を適切に表示するための方法として、例えば、スペクトラル法や多次元尺度法、バネモデル法、クロスエントロピー法などを利用すればよいが、これらに限定されるものではない。
【００６０】
リンク情報付与手段５によってリンクに付与された情報に基づいて、項目グラフ、および、共起範囲グラフの表示形態を制御して表示する方法としては、例えば、図７に示すように共起範囲グラフのクラスタにラベルをつけて、図８に示すようにそのラベルを項目グラフのリンクに表示する方法が考えられる。また、図示しないが、図７に示す共起範囲グラフの各クラスタに色を対応させ、図８の項目グラフの各リンクに対応するクラスタの色をつけるというように、表示することなどが考えられる。
【００６１】
次に、第３の実施形態の効果について説明する。  
第３の実施形態においては、グラフ表示制御手段６は、ユーザからの入力、および、リンク情報付与手段５によってリンクに付与された情報に基づいて、表示形態を制御して項目グラフ、および、共起範囲グラフのいずれか一方、もしくは、両方を、各リンクに情報が付与した状態で表示する。
【００６２】
従って、項目グラフのみならず、共起範囲グラフも同時に表示されることによって、項目グラフのリンクに対するユーザの理解を助ける効果が期待される。
【００６３】
以上説明したように、本発明によれば、グラフに対して、共起範囲のグラフの解析結果を用いることで、項目のグラフだけでは分からなかったリンクの情報を推定することが可能となる。
【００６４】
また、本発明の具体的な構成は前述の実施の形態に限られるものではなく、この発明の要旨を逸脱しない範囲の変更があってもこの発明に含まれる。  
例えば、上記実施の形態を別の表現で説明すれば、グラフ表示システムとして動作する情報処理装置は、ユーザによるデータの入力や取得するデータの範囲の選択操作などを受け付ける入力部と、項目グラフの有するリンクの意味を推定すると共に当該リンクに推定した情報を関連付けて記憶するグラフ作成プログラムを記憶保持する記憶部と、前記グラフ作成プログラムに基づいて動作する制御部（ＣＰＵ）とを備え、前記グラフ作成プログラムは、前記制御部を、入力部からの処理の開始指示などをキーとして、グラフ作成の対象とするデータをインターネット上や記憶媒体などから適宜取得し、分割表作成手段として、取得した前記データから、作成するグラフのノードとなる各項目が各共起範囲に含まれるか否かという情報を表現した分割表を作成する。その後、制御部は、グラフ作成プログラムに従い、前記分割表作成手段が作成した分割表の項目をノードとし、分割表に基づいて各ノード間にリンクを生成して項目グラフを作成すると共に、分割表の共起範囲をノードとし、分割表に基づいて各ノード間にリンクを生成して共起範囲グラフを作成する。次に制御部は、このように作成した項目グラフや共起範囲グラフ、分割表を用いて、項目グラフのリンクに共起範囲のクラスタ解析などから得られた情報を付与して記憶部に記録する。制御部は、ユーザの要求操作等に応答して記憶部に格納されている項目グラフなどを表示部上に表示し、グラフを介して、人物や語句、ウェブサイトといった項目の関係性を理解する補助を行う。
【００６５】
また、上記の実施形態の一部又は全部は、以下のようにも記載されうる。尚、以下の付記は本発明をなんら限定するものではない。  
［付記１］
グラフ作成の対象となるデータを取得するデータ取得手段と、
前記データ取得手段が取得した前記データから、各項目が各共起範囲に含まれるか否かという情報を表現する分割表を作成する分割表作成手段と、
前記分割表作成手段が作成した前記分割表の項目をノードとし、前記分割表に基づいて前記各ノード間にリンクを生成し、項目グラフを作成する項目グラフ作成手段と、
前記分割表作成手段が作成した前記分割表の共起範囲をノードとし、前記分割表に基づいて前記各ノード間にリンクを生成し、共起範囲グラフを作成する共起範囲グラフ作成手段と、
前記共起範囲グラフ作成手段が作成した共起範囲グラフ、前記分割表作成手段が作成した前記分割表、および、前記共起範囲グラフについて、クラスタ解析を行って抽出したクラスタに基づいて、前記項目グラフ作成手段が作成した前記項目グラフのリンクに情報を付与するリンク情報付与手段と、
を具備することを特徴とするグラフ作成装置。
【００６６】
［付記２］
ノードと成る複数の項目を含み、前記項目間に所望のリンクを生成することによってグラフとなるデータを取得するデータ取得手段と、
前記データ取得手段が取得した前記データに含まれる各項目が属する各共起範囲をノードとし、各共起範囲間の関連性を取得し、前記関連性に基づいて前記各ノード間にリンクを生成し、共起範囲グラフを取得する共起範囲グラフ取得手段と、
前記データ取得手段が取得した前記データから、各共起範囲に含まれる各項目をノードとし、前記データに基づいて前記各ノード間にリンクを生成し、項目グラフを作成する項目グラフ作成手段と、
前記共起範囲グラフ取得手段が取得した前記共起範囲グラフ、前記データ取得手段が取得した前記データ、および、前記共起範囲グラフについて、クラスタ解析を行って抽出したクラスタに基づいて、前記項目グラフ作成手段が作成した前記項目グラフのリンクに情報を付与するリンク情報付与手段と、
を具備することを特徴とするグラフ作成装置。
【００６７】
［付記３］
前記リンク情報付与手段は、項目グラフの所定のリンクについて、当該リンクで結ぶ項目がどのデータで共起しているかを抽出し、抽出した共起範囲が属するクラスタに関する情報を、前記リンクの情報として付与する
ことを特徴とする上記記載のグラフ作成装置。
【００６８】
［付記４］
前記リンク情報付与手段は、
項目グラフにおける所定のリンクに対応する共起範囲が複数有る場合に、
抽出したクラスタの中で、当該リンクに対応する共起範囲が最も多く属しているクラスタに関する情報を、当該リンクの情報として付与する
ことを特徴とする上記記載のグラフ作成装置。
【００６９】
［付記５］
前記リンク情報付与手段は、
項目グラフにおける所定のリンクに対して、
当該リンクに関係する共起範囲をクラスタ解析して定めたクラスタに属する共起範囲数を、他のクラスタに属する共起範囲数と共起範囲全体数に基づく比率で判定し、
有意と見做すと判定した場合に『意味を持つ結びつきである』という情報を付与し、
有意と見做せないと判定した場合に『全体に共通する一般的な結びつきである』という情報を付与する
ことを特徴とする上記記載のグラフ作成装置。
【００７０】
［付記６］
ユーザからの入力、および、リンク情報付与手段によってリンクに付与された情報に基づいて、表示形態を制御して前記項目グラフ、および、前記共起範囲グラフのいずれか一方、もしくは、両方を、各リンクに付与した情報と共に表示するグラフ表示制御手段を備える
ことを特徴とする上記記載のグラフ作成装置。
【００７１】
［付記７］
グラフ作成の対象となるデータを取得し、
取得した前記データから、各項目が各共起範囲に含まれるか否かという情報を表現する分割表を作成処理し、
作成した前記分割表の項目をノードとし、前記分割表に基づいて前記各ノード間にリンクを生成し、項目グラフを作成し、
作成した前記分割表の共起範囲をノードとし、前記分割表に基づいて前記各ノード間にリンクを生成し、共起範囲グラフを作成し、
作成した共起範囲グラフ、前記分割表、および、前記共起範囲グラフについて、クラスタ解析を行って抽出したクラスタに基づいて、作成した前記項目グラフのリンクに情報を付与する処理を行う
ことを特徴とするグラフ作成方法。
【００７２】
［付記８］
ノードと成る複数の項目を含み、前記項目間に所望のリンクを生成することによってグラフとなるデータを取得し、
取得した前記データに含まれる各項目が属する各共起範囲をノードとし、各共起範囲間の関連性を取得し、前記関連性に基づいて前記各ノード間にリンクを生成し、共起範囲グラフを取得し、
取得した前記データから、各共起範囲に含まれる各項目をノードとし、前記データに基づいて前記各ノード間にリンクを生成し、項目グラフを作成し、
取得した前記共起範囲グラフ、前記データ、および、前記共起範囲グラフについて、クラスタ解析を行って抽出したクラスタに基づいて、作成した前記項目グラフのリンクに情報を付与する処理を行う、
ことを特徴とするグラフ作成方法。
【００７３】
［付記９］
リンクに情報を付与する処理は、項目グラフの所定のリンクについて、当該リンクで結ぶ項目がどのデータで共起しているかを抽出し、抽出した共起範囲が属するクラスタに関する情報を、前記リンクの情報として付与する
ことを特徴とする上記記載のグラフ作成方法。
【００７４】
［付記１０］
リンクに情報を付与する処理は、
項目グラフにおける所定のリンクに対応する共起範囲が複数有る場合に、
抽出したクラスタの中で、当該リンクに対応する共起範囲が最も多く属しているクラスタに関する情報を、当該リンクの情報として付与する
ことを特徴とする上記記載のグラフ作成方法。
【００７５】
［付記１１］
リンクに情報を付与する処理は、
項目グラフにおける所定のリンクに対して、
当該リンクに関係する共起範囲をクラスタ解析して定めたクラスタに属する共起範囲数を、他のクラスタに属する共起範囲数と共起範囲全体数に基づく比率で判定し、
有意と見做すと判定した場合に『意味を持つ結びつきである』という情報を付与し、
有意と見做せないと判定した場合に『全体に共通する一般的な結びつきである』という情報を付与する
ことを特徴とする上記記載のグラフ作成方法。
【００７６】
［付記１２］
ユーザからの入力、および、リンクに付与された情報に基づいて、表示形態を制御して前記項目グラフ、および、前記共起範囲グラフのいずれか一方、もしくは、両方を、各リンクに付与した情報と共に表示制御する
ことを特徴とする上記記載のグラフ作成方法。
【００７７】
［付記１３］
情報処理装置の制御部を、
グラフ作成の対象となるデータを取得するデータ取得手段と、
前記データ取得手段が取得した前記データから、各項目が各共起範囲に含まれるか否かという情報を表現する分割表を作成する分割表作成手段と、
前記分割表作成手段が作成した前記分割表の項目をノードとし、前記分割表に基づいて前記各ノード間にリンクを生成し、項目グラフを作成する項目グラフ作成手段と、
前記分割表作成手段が作成した前記分割表の共起範囲をノードとし、前記分割表に基づいて前記各ノード間にリンクを生成し、共起範囲グラフを作成する共起範囲グラフ作成手段と、
前記共起範囲グラフ作成手段が作成した共起範囲グラフ、前記分割表作成手段が作成した前記分割表、および、前記共起範囲グラフについて、クラスタ解析を行って抽出したクラスタに基づいて、前記項目グラフ作成手段が作成した前記項目グラフのリンクに情報を付与するリンク情報付与手段、
として機能させることを特徴とするグラフ作成プログラム。
【００７８】
［付記１４］
情報処理装置の制御部を、
ノードと成る複数の項目を含み、前記項目間に所望のリンクを生成することによってグラフとなるデータを取得するデータ取得手段と、
前記データ取得手段が取得した前記データに含まれる各項目が属する各共起範囲をノードとし、各共起範囲間の関連性を取得し、前記関連性に基づいて前記各ノード間にリンクを生成し、共起範囲グラフを取得する共起範囲グラフ取得手段と、
前記データ取得手段が取得した前記データから、各共起範囲に含まれる各項目をノードとし、前記データに基づいて前記各ノード間にリンクを生成し、項目グラフを作成する項目グラフ作成手段と、
前記共起範囲グラフ取得手段が取得した前記共起範囲グラフ、前記データ取得手段が取得した前記データ、および、前記共起範囲グラフについて、クラスタ解析を行って抽出したクラスタに基づいて、前記項目グラフ作成手段が作成した前記項目グラフのリンクに情報を付与するリンク情報付与手段、
として機能させることを特徴とするグラフ作成プログラム。
【００７９】
［付記１５］
前記リンク情報付与手段は、項目グラフの所定のリンクについて、当該リンクで結ぶ項目がどのデータで共起しているかを抽出し、抽出した共起範囲が属するクラスタに関する情報を、前記リンクの情報として付与する
ことを特徴とする上記記載のグラフ作成プログラム。
【００８０】
［付記１６］
前記リンク情報付与手段は、
項目グラフにおける所定のリンクに対応する共起範囲が複数有る場合に、
抽出したクラスタの中で、当該リンクに対応する共起範囲が最も多く属しているクラスタに関する情報を、当該リンクの情報として付与する
ことを特徴とする上記記載のグラフ作成プログラム。
【００８１】
［付記１７］
前記リンク情報付与手段は、
項目グラフにおける所定のリンクに対して、
当該リンクに関係する共起範囲をクラスタ解析して定めたクラスタに属する共起範囲数を、他のクラスタに属する共起範囲数と共起範囲全体数に基づく比率で判定し、
有意と見做すと判定した場合に『意味を持つ結びつきである』という情報を付与し、
有意と見做せないと判定した場合に『全体に共通する一般的な結びつきである』という情報を付与する
ことを特徴とする上記記載のグラフ作成プログラム。
【００８２】
［付記１８］
前記制御部を、ユーザからの入力、および、リンク情報付与手段によってリンクに付与された情報に基づいて、表示形態を制御して前記項目グラフ、および、前記共起範囲グラフのいずれか一方、もしくは、両方を、各リンクに付与した情報と共に表示するグラフ表示制御手段として
機能させることを特徴とする上記記載のグラフ作成プログラム。
【産業上の利用可能性】
【００８３】
本発明は、各項目の関係性を理解する用途に適用可能である。例えば、ある商品についての自由記述形式のアンケートに本発明を適用することにより（この場合、項目は語句、共起範囲は１人の回答者の文章である）、回答者の属性と、商品に対するニーズの関連性の俯瞰などに役立てることができよう。
【符号の説明】
【００８４】
１  データ取得手段
２  分割表作成手段
３、３’  項目グラフ作成手段
４  共起範囲グラフ作成手段
４’  共起範囲グラフ取得手段
５  リンク情報付与手段
６  グラフ表示制御手段
【図１】
2011248699.tif 000003
【図２】
2011248699.tif 000004
【図３】
2011248699.tif 000005
【図４】
2011248699.tif 000006
【図５】
2011248699.tif 000007
【図６】
2011248699.tif 000008
【図７】
2011248699.tif 000009
【図８】
2011248699.tif 000010
【図９】
2011248699.tif 000011
【図１０】
2011248699.tif 000012
【図１１】
2011248699.tif 000013
【図１２】
2011248699.tif 000014